(57)【要約】      （修正有）【課題】簡便な構造ながらも肩ベルトを挿し通す孔の周囲を伸びにくくしたランドセル用背当てパッドを提供する。【解決手段】ランドセル用背当てパッド１は、ランドセルの背当てに装着するものであり、平面視矩形状のクッション部本体２とその上側に設けた横長状の帯部３とを備え、帯部３の少なくとも中間部分を上側に折り返してランドセルの肩ベルトを挿通するスリット状の孔部１１を設けたことを特徴とする。帯部３は、綿又は麻で織られた布などの厚手で丈夫な生地から形成することが好ましい。【選択図】図１
0003161560.tif 000002
【実用新案登録請求の範囲】
【請求項１】
ランドセルの背当てに装着するランドセル用背当てパッドにおいて、クッション部本体とその上側に設けた横長状の帯部とを備え、該帯部の少なくとも中間部分を上側に折り返してランドセルの肩ベルトを挿通するスリット状の孔部を設けたランドセル用背当てパッド。
【請求項２】
前記孔部は、下端辺中間部分を上側に折り返して横長状の凹部を形成した帯部を、前記クッション部の上端縁から突出するようにずらせて取り付けることにより形成したものである請求項１に記載のランドセル用背当てパッド。
【請求項３】
前記帯部は、綿又は麻で織られた布からなるものである請求項１又は２に記載のンドセル用背当てパッド。
【請求項４】
前記クッション部本体は、表裏面をメッシュ地、中間を織布乃至不織布などのクッション材とした三層からなるものである請求項１〜３のいずれかに記載のランドセル用背当てパッド。
【考案の詳細な説明】
【技術分野】
【０００１】
本考案は、ランドセルの背当てに装着するランドセル用背当てパッドに関する。
【背景技術】
【０００２】
ランドセルの背当て部分は、背負った際に直接背中に触れるため、汚れやすく、また、発汗により蒸れ、異臭が漂いやすいものである。
そこで、通気性を有したクッション材シートの表裏両面にメッシュ地を積層して単位積層地を形成し、メッシュ芯地を介してこの両面に単位積層地をそれぞれ積層し、吸湿速乾性及び抗菌防臭性に優れ、ランドセルに着脱可能にした背当てシートが開発されている（下記特許文献１参照）。
【先行技術文献】
【特許文献】
【０００３】
【特許文献１】特許第３８３００４９号公報
【考案の概要】
【考案が解決しようとする課題】
【０００４】
上記特許文献１に示す背当てシートは、吸湿速乾性などに優れ、汚れた場合に交換できるものであるが、ランドセルと背中の間に挟まれるため、ゴム紐などで固定はしてあるもののずれ動きやすく、ランドセルの肩ベルトを挿し通す孔の周囲が伸びやすいという問題があった。特に下向きに動きやすいため孔の上縁部が伸びやすかった。
【０００５】
そこで、本考案の目的は、簡便な構造ながらも肩ベルトを挿し通す孔の周囲を伸びにくくしたランドセル用背当てパッドを提供することにある。
【課題を解決するための手段】
【０００６】
本考案のランドセル用背当てパッドは、ランドセルの背当てに装着するランドセル用背当てパッドにおいて、クッション部本体とその上側に設けた横長状の帯部とを備え、該帯部の少なくとも中間部分を上側に折り返してランドセルの肩ベルトを挿通するスリット状の孔部を設けたことを特徴とするものである。
【０００７】
本考案のランドセル用背当てパッドは、帯部の少なくとも中間部分を上側に折り返して肩ベルトを挿し通すスリット状の孔部を設けたため、孔部の上縁部が二重に折り重なり、孔部の周囲が伸びにくいものになる。
【図面の簡単な説明】
【０００８】
【図１】本考案の一実施形態の背当てパッドの背面図である。
【図２】図１の背当てパッドの正面図である。
【図３】図１の背当てパッドにおけるクッション部本体の形成方法の一例を示した斜視図である。
【図４】図１の背当てパッドにおける帯部の形成方法の一例を示した斜視図である。
【図５】図１の背当てパッドにおける帯部とクッション部本体とを組み付けた状態を示した斜視図である。
【図６】図１の背当てパッドをランドセルに装着した状態を示した斜視図である。
【考案を実施するための形態】
【０００９】
以下、本考案のランドセル用背当てパッドを、一実施形態に基づいて説明する。
【００１０】
本考案の一実施形態の背当てパッド１は、図１又は図２に示すように、ランドセル４の背当て部分に装着できる矩形シート状のものであり、クッション部本体２とその上側の帯部３とを備えたものである。
【００１１】
クッション部本体２は、図１又は図２などに示すように、下側の両隅部を丸隅とした縦長矩形状に形成してあり、上側中央部にはランドセル４の吊下げ環４１に掛けることができる輪状の掛止部２１が形成してある。掛止部２１は、ゴム紐などから形成することができ、例えば、図３（Ａ）に示すように、二つ折りにしたゴム紐の両端部を挟み込ませながらクッション部生地２２の上端辺を背面側に折り返し、図３（Ｂ）に示すように、パッドの幅方向に縫製することにより形成することができる。
クッション部生地２２は、クッション性を有するものを用いることができ、さらに、通気性があるものを用いることが好適である。
このような生地としては、例えば、表面にポリエステルからなるメッシュ地、中間にポリエステルからなり、表裏連通した通気間隙を無数に有する織布乃至不織布などのクッション材、裏面にポリエステルからなるメッシュ地とした三層からなる生地を挙げることができる。
【００１２】
帯部３は、図４（Ａ）に示すように、クッション部本体２と略同幅の横長矩形状の帯部生地３１から形成してあり、図４（Ｂ）に示すように、生地３１の下端辺の少なくとも中間部分を上側に折り返して縫製し、横長台形状の凹部３２を形成してある。
帯部生地３１は、厚手で丈夫な生地を用いることができ、１ｍｍ〜３ｍｍ厚などの綿又は麻などで織られた布等を用いることが好適であり、さらに、平織りの生地が好適である。
【００１３】
帯部３は、例えば、図５に示すように、表面側をクッション部本体２の裏面側に接面させ、帯部３がクッション部本体２の上端縁から上方に突出するようにずらせて縫製して組み付け、凹部３２がスリット状の孔部１１になるように組み付けることができる。
【００１４】
上記のようにクッション部本体２に帯部３を組み付け、この両側縁部及び下側縁部を縁部処理するとともに背面上部及び背面下部にゴム紐などからなる止め紐１２，１３をパッドの幅方向に取り付けて、図１又は図２に示す、背当てパッド１を形成することができる。
【００１５】
背当てパッド１をランドセル４に装着するには、例えば、ランドセル４の被せ蓋４２を止め紐１２と帯部３との間に挿し通して奥側まで挿入する。次に、ランドセルの両肩ベルト４３を孔部１１に挿し通し、挂止部２１を吊下げ環４１に掛ける。そして、止め紐１３をランドセル４の下端部に掛けることにより、図６に示すように装着することができる。
【００１６】
背当てパッド１は孔部１１の上縁部が二重にしてあるため、背当てパッド１がずれ動いたとしても孔部１１の周囲は伸びにくいものである。
【００１７】
上記実施形態の構成態様は、本考案を限定するものとして挙げたものではなく、技術目的を共通にするかぎり変更は可能であり、本考案はそのような変更を含むものである。
【符号の説明】
【００１８】
１背当てパッド  １１孔部  １２，１３止め紐  ２クッション部本体  ２１挂止部  ２２クッション部生地  ３帯部  ３１帯部生地  ３２凹部  ４ランドセル  ４１吊下げ環  ４２被せ蓋  ４３肩ベルト
【図１】
0003161560.tif 000003
【図２】
0003161560.tif 000004
【図３】
0003161560.tif 000005
【図４】
0003161560.tif 000006
【図５】
0003161560.tif 000007
【図６】
0003161560.tif 000008
【手続補正書】
【提出日】平成22年5月25日(2010.5.25)
【手続補正１】
【補正対象書類名】実用新案登録請求の範囲
【補正対象項目名】請求項２
【補正方法】変更
【補正の内容】
【請求項２】
前記孔部は、下端辺中間部分を上側に折り返して横長台形状の凹部を形成した帯部を、前記クッション部本体の上端縁から突出するようにずらせて取り付けることにより形成したものである請求項１に記載のランドセル用背当てパッド。
【手続補正２】
【補正対象書類名】実用新案登録請求の範囲
【補正対象項目名】請求項３
【補正方法】変更
【補正の内容】
【請求項３】
前記帯部は、綿又は麻で織られた布からなるものである請求項１又は２に記載のランドセル用背当てパッド。